(57)【要約】【課題】自動販売機のロケーション先を巡回するルートマン（保守員）が自販機に装備したカードリードライタの清掃ツールであるクリーニングカードを持参し忘れした場合の対応策を提供する。【解決手段】自動販売機に搭載してプリペイドカードやＩＤカードなどによる販売に対応させたカードリードライタで、その保守作業としてケース前面のカード挿入口にクリーニングカードを挿入して内部機構のクリーニングを行うようにしたものにおいて、カードリードライタ７のケース８の背面側（自動販売機の機内側）にポケット状のカードホルダー１１を設けて、ここにクリーニングカード１２を常備保管しておく。そして、自動販売機のロケーション先を巡回するルートマンがカードリードライタをクリーニングする際に、前記の備え付けクリーニングカードを使って内部機構のクリーニングが行えるようにする。【選択図】      図１
2005062949.tif 000002
【特許請求の範囲】
【請求項１】
前面にカード挿入口を開口した本体ケース内にカード搬送部およびカード読み書き部を内蔵したカードリードライタであり、その保守作業としてクリーニングカードを前記カード挿入口に挿入して内部機構のクリーニングを行うようにしたものにおいて、
本体ケースの外側にカードリードライタのクリーニングカードを常備保管するカードホルダーを備えたことを特徴とするカードリードライタ。
【請求項２】
請求項１に記載のカードリードライタにおいて、カードホルダーがクリーニングカードの出し入れ自由なポケット状のケースであり、該カードホルダーをカードリードライタの本体ケースの背面に貼り付けて設置したことを特徴とするカードリードライタ。
【発明の詳細な説明】
【０００１】
【発明の属する技術分野】
本発明は、自動販売機などに搭載して商品の購入に使用するプリペイドカードやＩＤカードなどのデータ処理を行うカードリードライタに関する。
【０００２】
【従来の技術】
最近になり、カードシステムの普及化からプリペイドカードやＩＤカードなどのカード使用による商品販売にも対応できるようカードリードライタを搭載した自動販売機が実用化されており、その自動販売機の構成を図２に示す。
図２において、１は庫内に商品収納ラックを搭載した自動販売機のキャビネット、２はその前面外扉、３は商品見本を陳列する電照室、４は商品取出口であり、外扉２における販売操作部にはコイン機構５，投入金額，庫内温度などを表示する販売表示部（液晶ディスプレイ）６と並べてビルバリデータ（紙幣識別装置）と組み合わせて一体化したカードリードライタ７を装備し、コイン，紙幣のほかに、カードによるキャッシュレス販売も行うようにしている。
【０００３】
ここで、前記のように自動販売機に搭載して使用するビルバリデータと一体形のカードリードライタ７の外観図を図３（ａ），（ｂ）  に示す。図示のように、カードリードライタ７の本体ケース８の前面上部には紙幣挿入口９と並べてカード挿入口１０が開口しており、図示してないが本体ケース１の内部には前記の紙幣挿入口９に通じる紙幣搬送部，紙幣識別部，紙幣収納部、およびカード挿入口１０に通じるカード搬送部，カード読み書き部の各機構を内蔵した構成になる。そして、自動販売機の外扉２に対し、本体ケース８の前面部を扉板に開口した角穴に臨ませて扉裏面側から取付フランジ８ａを扉板に押し当ててねじ止めするようにしている。
なお、このカードリードライタ，ビルバリデータの動作，機能については周知であり、ここではその説明は省略する。
【０００４】
ところで、前記カードリードライタは、カードの繰り返し使用に伴ってカードの表面に付着している汚れや異物（油脂成分，塵埃など）が内部のカード搬送ローラ、あるいはカード読み取り部の磁気ヘッドなどに転移すると、カード搬送機能，カードデータの読み書き機能が劣化するおそれがある。
そこで、カードリードライタのメンテナンス作業として、従来ではルートマン（自動販売機の保守員）が商品補充などのためにロケーション先に設置した自動販売機を巡回した際に、ルートマンがあらかじめ携帯して用意したクリーニングカード（カードリードライタの清掃ツール）を自動販売機のカードリードライタのカード挿入口に差し込んで内部機構の搬送ローラ，磁気ヘッドなどに付着している汚れをクリーニングするようにしている。（例えば、特許文献１参照）。
【０００５】
【特許文献１】
特開２００１−６７６３１号公報
【０００６】
【発明が解決しようとする課題】
ところで、前記のようにルートマンが自分で用意したクリーニングカードを使ってロケーション先の自動販売機に搭載したカードリードライタをクリーニングする保守管理の仕方では、ルートマンがクリーニングカードを持参するのを忘れたり、巡回の途中でクリーニングカードを紛失したりした人為的ミスがあると、ロケーション先の現場でカードリードライタのクリーニング作業が実施できないと言った問題がある。
本発明は上記の点に鑑みなされたものであり、ルートマンがクリーニングカードを携帯してなくても、自動販売機のロケーション先でクリーニングカードを使ってカードリードライタのクリーニング作業が行えるようにした対応策を提供することを目的とする。
【０００７】
【課題を解決するための手段】
上記目的を達成するために、本発明によれば、前面にカード挿入口を開口した本体ケース内にカード搬送部およびカード読み書き部を内蔵したカードリードライタであり、その保守作業としてクリーニングカードを前記カード挿入口に挿入して内部機構のクリーニングを行うようにしたものにおいて、
本体ケースの外側にクリーニングカードを常備保管するカードホルダーを備えるものとし（請求項１）、そのカードホルダーをクリーニングカードの出し入れ自由なポケット状のケースで構成し、該カードホルダをカードリードライタ本体ケースの背面に貼り付けて設置するようにする（請求項２）。
上記のようにカードリードライタにカードホルダーを装備してこのカードホルダーにクリーニングカードを備え付けておくことにより、自動販売機のロケーション先を巡回するルートマンがクリーニングカードを持参しなくても、備え付けのクリーニングカードを使って必要時にカードリードライタの内部機構のクリーニングを実施できる。
【０００８】
【発明の実施の形態】
以下、本発明の実施の形態を図１（ａ）  〜（ｃ）  に示す実施例に基づいて説明する。なお、図１（ａ）  は図３のカードリードライタ７を背面から見た図である。
すなわち、図示実施例のカードリードライタ７においては、本体ケース８の裏面側に配した背板８ａにカードホルダー１１が両面接着テープ１３で貼着固定されている。このカードホルダー１１は樹脂成形品などで作られたポケット状の小形容器で、クリーニングカード１２を自由に出し入れできるような構成としている。
そして、ロケーション先に設置した自動販売機ごとに、上記のカードホルダー１１をのカードリードライタ８に取り付けた上で、このカードホルダー１１にクリーニングカード１２を常備保管しておくものとする。
【０００９】
これにより、ルートマンがロケーション先の自動販売機を巡回してカードリードライタ８のクリーニングを実施する場合に、自分がクリーニングカードを携帯してなくても、自動販売機の外扉２（図２参照）を開いてカードリードライタ８のケース背面に取り付けたカードホルダー１１よりクリーニングカード１２を取り出し、このクリーニングカードを外扉の前面側からカード挿入口１０（図３参照）に差し込んでクリーニングすることで、カード搬送部，カード読み取り部の機構に付着している汚れを除去することができる。なお、クリーニングの終了後はクリーニングカード１２を再びカードホルダー１１に入れて保管しておく。
【００１０】
【発明の効果】
以上述べたように、本発明によれば、前面にカード挿入口を開口した本体ケース内にカード搬送部およびカード読み書き部を内蔵したカードリードライタにおいて、その本体ケースにカードホルダーを備えたここにクリーニングカードを常備保管するようにしたことにより、
ルートマン（自動販売機の保守員）が自動販売機のロケーション先に巡回して商品補給，カードリードライタのクリーニングなどの保守作業を行う際に、クリーニングカードを携帯し忘れても、ルートマンは前記カードホルダーに常備保管しておいたクリーニングカードを使ってカードリードライタのクリーニングを行うことができて保守管理面での改善が図れる。
【図面の簡単な説明】
【図１】本発明によるカードリードライタの実施例を示し、（ａ）  はカードホルダーを備えたカードリードライタの背面図、（ｂ），（ｃ）  はそれぞれカードホルダーにクリーニングカードを収容した状態を表す斜視図および側面図
【図２】カードリードライタを搭載した自動販売機の正面図
【図３】図２におけるカードリードライタの外観図で、（ａ），（ｂ）  はそれぞれ正面図、および側面図
【符号の説明】
１    自動販売機のキャビネット
２    前面外扉
７    カードリードライタ
８    本体ケース
１０    カード挿入口
１１    カードホルダー
１２    クリーニングカード
１３    両面接着テープ
【図１】
2005062949.tif 000003
【図２】
2005062949.tif 000004
【図３】
2005062949.tif 000005